(57)【要約】【課題】従来の塵埃の掻き取り性能を維持しながら、小型で、衛生的で、低騒音で、しかも塵埃廃棄の容易な空気調和機用清掃装置を提供する。【解決手段】塵埃除去ユニット１９と、塵埃回収ユニット２０からなり、塵埃除去ユニット１９は、駆動手段（図示せず）で回転駆動されると共に空気調和機用エアフイルター（図示せず）に付着した塵埃を掻き取る回転清掃体３４と、回転清掃体３４で掻き取られた塵埃を収納する集塵ボックス３３と、集塵ボックス３３に設けられた塵埃排出口３３ａと、集塵ボックス３３内の塵埃を塵埃排出口３３ａまで移送する塵埃移送手段３６とを備え、塵埃回収ユニット２０は、塵埃排出口３３ａと連通する塵埃取入れ口４９ａを有するもので、回転清掃体３４でエアフイルターに付着した塵埃を確実に掻き取り、塵埃移送手段３６で集塵ボックス３３内の塵埃を容易に塵埃回収ユニット２０内に回収できる。【選択図】図３
2008128625.tif 000002
【特許請求の範囲】
【請求項１】
空気調和機に内蔵されたエアフイルターに付着した塵埃を除去する塵埃除去ユニットと、前記塵埃除去ユニットで除去された塵埃を回収する塵埃回収ユニットからなり、前記塵埃除去ユニットは、駆動手段で回転駆動されると共に、前記エアフイルターに付着した塵埃を掻き取る回転清掃体と、前記回転清掃体で掻き取られた塵埃を収納する集塵ボックスと、前記集塵ボックスに設けられた塵埃排出用の塵埃排出口と、前記集塵ボックスに収納された前記塵埃を前記塵埃排出口まで移送する塵埃移送手段とを備え、前記塵埃回収ユニットは、前記塵埃排出口と連通する塵埃取入れ口を有する空気調和機用清掃装置。
【請求項２】
塵埃回収ユニットを空気調和機に着脱自在とした請求項１に記載の空気調和機用清掃装置。
【請求項３】
熱交換器と、前記熱交換器の上流側に配され流入する空気に含まれる塵埃を捕獲するエアフイルターと、請求項１又は２に記載の空気調和機用清掃装置を備えた空気調和機。
【発明の詳細な説明】
【技術分野】
【０００１】
本発明は、空気調和機に取り付けられたエアフィルターの清掃を行う空気調和機用清掃装置と、それを用いた空気調和機に関するものである。
【背景技術】
【０００２】
従来のこの種の空気調和機用清掃装置として、図１０に示すようなものがあった（例えば、特許文献１参照）。
【０００３】
図１０は、上記特許文献１に記載された従来の空気調和機用清掃装置を搭載した空気調和機の室内機本体の断面図である。
【０００４】
図１１において、室内機本体１内には、熱交換器２と、室内の空気を取り入れる吸込口３と、前記熱交換器２と前記吸込口３の間に設けられたベルト状のエアフィルター４と、このエアフィルター４を張設した駆動軸６および従動軸７と、前記駆動軸６を回転駆動するサーボモーター５と、前記エアフィルター４で捕集された塵埃を除去する空気調和機用清掃装置８と、前記吸込口３から室内の空気を吸引し、熱交換器２を通して吹き出し口９から、熱交換された空気を室内に吹き出すファン１０とを備えている。
【０００５】
空気調和機用清掃装置８は、ロータ１１ａとそのロータ１１ａの外周の長手方向に設けられたブラシ状の清掃体１１ｂからなる回転清掃体１１と、前記回転清掃体１１を回転駆動する駆動手段（図示せず）と、前記吸込口３と連通すると共に前記回転清掃体１１を内設し排出口１２を有する排気管１３と、前記排気管１３内に設けられた塵埃排出用ファン１４から構成されている。
【０００６】
上記のように構成された従来の空気調和機用清掃装置及び空気調和機の動作、作用は以下の通りである。
【０００７】
室内機本体１を、例えば、冷房運転すると、ファン１０により室内の空気が吸込口３から流入し、エアフィルター４を通って熱交換器２に至り、そこで冷却され、冷たい空気が吹き出し口９から室内に吹き出される。吸引される室内の空気に含まれる塵埃は、前記エアフィルター４で捕集され、エアフィルター４の表面に堆積する。エアフィルター４の表面に塵埃が堆積してくると、空気の通気圧損が増加し、熱交換効率が低下してくるので、定期的に或いは、必要に応じて、エアフィルター４上の塵埃の除去運転が必要となる。
【０００８】
塵埃の除去運転は、サーボモーター５を運転して駆動軸６を回転させてベルト状のエアフィルター４を連続的に移動させながら、その間に回転清掃体１１を回転させると共に塵埃排出用ファン１４を運転するもので、エアフィルター４上の塵埃が、回転清掃体１１の清掃体１１ｂで掻き取られ、掻き取られた塵埃は、塵埃排出用ファン１４により吸引され、排出口１２より室外に排出されるようになっている。
【特許文献１】特開平６−７４５２１号公報
【発明の開示】
【発明が解決しようとする課題】
【０００９】
しかしながら、上記従来の空気調和機用清掃装置の構成では、塵埃吸引用ファン１４を設けているので、構造が複雑で、またそれを設けるスペースが必要なため、空気調和機用清掃装置は勿論それを搭載した空気調和機が大型化するという課題があった。
【００１０】
又、塵埃の排出時に、塵埃吸引用ファン１４が高速で回転するため、騒音が大きいという課題も有った。さらに、塵埃を、排出口１２から直接屋外に排出するようにしているため、屋外の空気が塵埃で汚染され、非衛生的であった。
【００１１】
本発明は、上記従来の課題を解決するもので、従来の塵埃の掻き取り性能を維持しながら、小型で、衛生的で、低騒音で、しかも塵埃の廃棄が容易な空気調和機用清掃装置及び空気調和機を提供することを目的とするものである。
【課題を解決するための手段】
【００１２】
前記従来の課題を解決するために、本発明の空気調和機用清掃装置は、空気調和機に内蔵されたエアフイルターに付着した塵埃を除去する塵埃除去ユニットと、塵埃除去ユニットで除去された塵埃を回収する塵埃回収ユニットからなり、前記塵埃除去ユニットは、駆動手段で回転駆動されると共に、前記エアフイルターに付着した塵埃を掻き取る回転清掃体と、前記回転清掃体で掻き取られた塵埃を収納する集塵ボックスと、前記集塵ボックスに設けられた塵埃排出用の塵埃排出口と、前記集塵ボックスに収納された前記塵埃を前記塵埃排出口まで移送する塵埃移送手段とを備え、前記塵埃回収ユニットは、前記塵埃排出口と連通する塵埃取入れ口を有するもので、回転清掃体によってエアフイルターに付着した塵埃が確実に掻き取られると共に、集塵ボックスに収納された塵埃を塵埃移送手段で塵埃排出口まで移送することにより、塵埃を容易に塵埃回収ユニットに回収することができる。また、塵埃移送手段で、適宜、集塵ボックス内の塵埃を塵埃排出口に移送するようにすれば、塵埃回収ユニット内で塵埃が圧縮され、塵埃回収ユニット内に多量の塵埃を溜めておけるようになり、塵埃の廃棄頻度が減り、塵埃の廃棄作業が軽減される。又、塵埃を吸引すると共に外部にそれを排出するための吸引装置等が不要なので、小型、低騒音で、しかも衛生的である。
【００１３】
また、本発明の空気調和機は、熱交換器と、前記熱交換器の上流側に配され流入する空気に含まれる塵埃を捕獲するエアフイルターと、請求項１又は２に記載の空気調和機用清掃装置を備えたもので、従来の塵埃掻き取り性能を維持しながら、小型、低騒音で、しかも塵埃廃棄作業が容易な空気調和機用清掃装置を用いることにより、空気調和機のエアフイルターを常にきれいに保つことが出来るので、空調性能に優れ、しかもメンテナンスの容易な空気調和機を提供することが出来る。
【発明の効果】
【００１４】
本発明の空気調和機用清掃装置及び空気調和機は、従来の塵埃の掻き取り性能を維持しながら、小型で、衛生的で、低騒音で、しかも塵埃廃棄作業が容易である。
【発明を実施するための最良の形態】
【００１５】
第１の発明は、空気調和機に内蔵されたエアフイルターに付着した塵埃を除去する塵埃除去ユニットと、塵埃除去ユニットで除去された塵埃を回収する塵埃回収ユニットからなり、前記塵埃除去ユニットは、駆動手段で回転駆動されると共に、前記エアフイルターに付着した塵埃を掻き取る回転清掃体と、前記回転清掃体で掻き取られた塵埃を収納する集塵ボックスと、前記集塵ボックスに設けられた塵埃排出用の塵埃排出口と、前記集塵ボックスに収納された前記塵埃を前記塵埃排出口まで移送する塵埃移送手段とを備え、前記塵埃回収ユニットは、前記塵埃排出口と連通する塵埃取入れ口を有するもので、回転清掃体によってエアフイルターに付着した塵埃が確実に掻き取られると共に、集塵ボックスに収納された塵埃を塵埃移送手段で塵埃排出口まで移送することにより、塵埃を容易に塵埃回収ユニットに回収することができる。また、塵埃移送手段で、適宜、集塵ボックス内の塵埃を塵埃排出口に移送するようにすれば、塵埃回収ユニット内で塵埃が圧縮され、塵埃回収ユニット内に多量の塵埃を溜めておけるようになり、塵埃の廃棄頻度が減り、塵埃の廃棄作業が軽減される。又、塵埃を吸引すると共に外部にそれを排出するための吸引装置等が不要なので、小型、低騒音で、しかも衛生的である。
【００１６】
第２の発明は、特に、第１の発明の塵埃回収ユニットを空気調和機に着脱自在としたもので、高所に設置された空気調和機から塵埃回収ユニットを容易に取り外すことができるので、塵埃回収ユニット内の塵埃の廃棄が容易である。
【００１７】
第３の発明は、熱交換器と、前記熱交換器の上流側に配され流入する空気に含まれる塵埃を捕獲するエアフイルターと、請求項１又は２に記載の空気調和機用清掃装置を備えたもので、従来の塵埃掻き取り性能を維持しながら、小型、低騒音で、しかも塵埃廃棄作業が容易な空気調和機用清掃装置を用いることにより、空気調和機のエアフイルターを常にきれいに保つことが出来るので、空調性能に優れ、しかもメンテナンスの容易な空気調和機を提供することが出来る。
【００１８】
以下、本発明の実施の形態について、図面を参照しながら説明する。なお、この実施例によって本発明が限定されるものではない。
【００１９】
（実施例１）
本発明の第１の実施例における空気調和機用清掃装置について図１〜９を用いて説明する。
【００２０】
図１は、本実施例における空気調和機用清掃装置を搭載した空気調和機の室内機の斜視図、図２は、同室内機の概略断面図である。
【００２１】
図１、２において、１８は、本実施例における空気調和機用清掃装置で、室内に設置された空気調和機の室内機１７に着脱自在で、室内機１７に内蔵されたエアーフィルター２１に付着した塵埃を除去する塵埃除去ユニット１９と、室内機１７の前方より着脱自在に室内機１７に装着されると共に塵埃除去ユニット１９で除去された塵埃を回収する塵埃回収ユニット２０から構成されている。
【００２２】
室内機１７の前面には、室内の空気を取り入れるための吸込口２２ａを有する前面パネル２２が設けられ、その吸込口２２ａの下流側に、エアーフィルター２１、室内の空気を熱交換する熱交換器２３、ファン２４が順に配され、ファン２４を運転すると、室内の空気が、吸込口２２ａから吸引され、熱交換器２３で熱交換された後、吹出口２５から室内に吹き出される。
【００２３】
エアーフィルター２１は、図２に示すように、ベルト状に形成されると共に、図示しないモーターと減速装置からなる駆動手段２６で回転駆動される駆動プーリー２７と、従動プーリー２８間に張架されている。
【００２４】
次に、本実施例の空気調和機用清掃装置１８の詳細について図３〜９を用いて説明する。
【００２５】
図３は、同空気調和機用清掃装置の斜視図、図４は、同空気調和機用清掃装置の分解図、図５は、同空気調和機用清掃装置の塵埃移送手段の構成を示す展開図である。
【００２６】
図３において、空気調和機用清掃装置１８の塵埃除去ユニット１９は、カバー上３１と、カバー下３２からなり、室内機１７に着脱自在で、かつ塵埃を収納する集塵ボックス３３と、集塵ボックス３３に回転自在に、かつ着脱自在に収納され、エアーフィルター２１の表面に付着した塵埃を掻き取るための回転清掃体３４と、集塵ボックス３３の塵埃回収ユニット２０側に設けられ、塵埃を外部に排出するための塵埃排出口３３ａと、集塵ボックス３３の長手方向に沿って集塵ボックス３３内に溜まった塵埃を塵埃排出口３３ａまで移送させる塵埃移送手段３６と、カバー上３１の内壁に長手方向に一体に略櫛状に形成され、回転清掃体３４に付着した塵埃を掻き取る塵埃除去手段３７を備えている。
【００２７】
塵埃移送手段３６は、図４、５に示すように、カバー下３２の表面に沿ってスライド自在のつまみ４０と、つまみ４０の底面に形成されたリブ４０ａが挿入嵌合される受け部４１ａを有すると共に集塵ボックス３３内で移動自在の移送板４１から構成されている。４２は、カバー下３２に形成され、つまみ４０のリブ４０ａをガイドするスリットで、４３は、つまみ４０のリブ４０ａが貫通するスリット４３ａを有すると共に、カバー下３２の裏面に貼着されるシール部材で、カバー下３２のスリット４２から、外気が流入するのを防止するためのものである。なお、本実施例では、図示しない付勢手段により、塵埃移送手段３６は、塵埃回収ユニット２０と反対側方向に常時付勢されている。
【００２８】
次に、回転清掃体３４の詳細について、図６を用いて述べる。
【００２９】
図６（ａ）は、回転清掃体３４及び室内機１７の一部の斜視図、（ｂ）は、同回転清掃体３４の製法を示す図である。
【００３０】
図６において、回転清掃体３４は、棒状で金属材料からなる軸体５１と、軸体５１の外周に螺旋状に巻き付けられると共に、基布５２ａと、基布５２ａに植毛されたブラシ部５２ｂからなる起毛布５２と、軸体５１の両側に設けられ軸体５１を回転自在に保持すると共に、カバー上３１に装着される軸受け体５３と、軸体５１の一端に固着され、空気調和機用清掃装置１８を、室内機１７の前方より装着したときに、室内機１７側に設けられた駆動手段Ａ５４で回転駆動されるギアーＡ５５と噛み合うギアーＢ５６とから構成されている。回転清掃体３４が、集塵ボックス３３に装着された状態では、図２に示すように塵埃除去手段３７の先端が回転清掃体３４のブラシ部５２ｂに食い込んでいる。
【００３１】
又、本実施例では、軸体５１に巻きつけられた起毛布５２の全幅寸法（有効清掃幅寸法Ｌ）を５００ｍｍ以上としている。
【００３２】
なお、本実施例では、上述のように、軸体５１を１本の棒状部材で形成しているが、複数本に分割して、それらを螺子嵌合や、圧入等で繋ぐようにしても良い。そのようにすれば、軸体５１の運搬が容易で、しかも梱包形態も簡素化される。
【００３３】
また、軸体５１を、パイプのような中空の部材で形成すれば、軸体５１の質量が低減し、回転清掃体３４、ひいては、空気調和機用清掃装置１８の軽量化を図ることが出来る。
【００３４】
塵埃除去ユニット１９が、室内機１７に装着された状態では、図２に示すように、回転清掃体３４のブラシ部５２ｂの先端がエアフィルター２１の表面に当接している。
【００３５】
次に、塵埃回収ユニット２０の詳細について図７を用いて説明する。図７（ａ）は、塵埃回収ユニットの分解斜視図、（ｂ）は、同塵埃回収ユニットの完成品の斜視図である。
【００３６】
図７において、塵埃回収ユニット２０は、それを室内機１７に装着したときに、集塵ボックス３３に設けた塵埃排出口３３ａと連通する塵埃取入れ口４９ａを有する塵埃回収本体４９と、塵埃回収本体４９に回動自在に軸支され、塵埃取入れ口４９ａを開閉するシャッター部材５０から構成されている。４９ｄは、塵埃回収ユニット２０を室内機１７より脱着する際に利用する取っ手である。
【００３７】
シャッター部材５０は、図７に示すように、断面略コの字状で、上端、下端に設けた軸５０ａを、塵埃回収本体４９の上面と下面のそれぞれに設けた軸穴４９ｂに嵌合させることで、シャッター部材５０を回動自在としている。５０ｂは、シャッター部材５０の天面に設けられ、塵埃回収本体４９の天面に設けた半円状のスリット４９ｃを貫通すると共に、スリット４９ｃ内を自由に移動できるように構成されている。
【００３８】
なお、本実施例では、シャッター部材５０は、図示しない付勢手段により、塵埃取入れ口４９ａを閉じる方向に常時付勢されている。
【００３９】
次に、図８を用いて、塵埃回収ユニット２０を室内機１７に装着する際の動作を説明する。図８は、塵埃除去ユニット１９の一部と塵埃回収ユニット２０の上から見た断面図である。
【００４０】
図８（ａ）は、塵埃回収ユニット２０を室内機１７に装着する直前の状態を示し、図示しない付勢手段により、塵埃取入れ口４９ａがシャッター部材５０で閉じられている。そして、図８（ｂ）に示すように、塵埃回収ユニット２０を押し込んでいくと、シャッター部材５０の突起５０ｂが、室内機１７側に設けた突起Ｂ１７ａに当接し、塵埃回収ユニット２０が室内機１７に装着される動きに連動して、かつ付勢手段の付勢力に抗して、シャッター部材５０が開き、図８（ｃ）に示すように、塵埃回収ユニット２０が室内機１７に最後まで装着されると、シャッター部材５０が全開し、同時に、集塵ボックス３３の塵埃排出口３３ａと塵埃回収ユニット２０の塵埃取入れ口４９ａが連通する。塵埃回収ユニット２０を室内機１７から取り外すときは、上記と逆の動作をし、塵埃回収ユニット２０を抜き取ったときには、塵埃取入れ口４９ａがシャッター部材５０で完全に閉じられていることは言うまでも無い。
【００４１】
以上のように構成された本実施例における空気調和機用清掃装置１８及びそれを搭載した空気調和機の室内機１７の動作、作用について、以下に説明する。
【００４２】
まず最初に、塵埃回収ユニット２０を、室内機１７に装着しておく。そして、室内機１７が、例えば、冷房運転されると、ファン２４の運転により室内の空気が吸込口２２ａから流入し、エアフィルター２１を通って熱交換器２３に至り、そこで冷却され、冷たい空気が吹出口２５から室内に吹き出される。吸込口２２ａから吸引される室内の空気に含まれた塵埃は、エアフィルター２１で捕獲され、そのエアフィルター２１の表面に次第に堆積していく。エアフィルター２１の表面に塵埃が堆積してくると、空気の通気圧損が増加し、熱交換器２３での熱交換効率が低下してくるので、定期的に或いは、必要に応じて、エアフィルター２１に堆積した塵埃の除去運転が必要となる。
【００４３】
そこで、本実施例では、塵埃の除去運転を開始すると、図２に示すように、駆動手段２６により駆動プーリー２７が反時計方向に回転し、エアフィルター２１が矢印Ａ方向に移動を開始する。同時に、駆動手段Ａ５４が駆動し、空気調和機用清掃装置１８の回転清掃体３４が、同じく反時計方向（矢印Ｂ）に回転し、エアフィルター２１の表面に付着していた塵埃３５が回転清掃体３４のブラシ部５２ｂにより掻き取られ、集塵ボックス３３内にこぼれ落ちる。同時に、ブラシ部５２ｂ上に取り残された塵埃は、櫛状の塵埃除去手段３７により、除去される。
【００４４】
この塵埃除去運転は、ベルト状のエアフィルター２１が半周すなわち、エアフィルター２１の前側半分が、後ろ側に移動するまで行なわれる。通常、エアフィルター２１の後ろ側半分には、塵埃がほとんど堆積していないので、塵埃除去運転を終えた時点で、エアフィルター２１のきれいな後ろ側半分が、前側に移動している。
【００４５】
何度か、上記塵埃除去運転を行なうと、塵埃除去ユニット１９の集塵ボックス３３内に塵埃が堆積してくるので、それを廃棄する必要がある。
【００４６】
本実施例における塵埃廃棄作業は以下のようにして行なわれる。
【００４７】
まず、塵埃除去ユニット１９の前面に配したつまみ４０を操作して、図示しない付勢手段の付勢力に抗して、塵埃移送手段３６の移送板４１を、図９に示すように、集塵ボックス３３の塵埃回収ユニット２０側端部、すなわち、塵埃排出口３３ａまで移動させる。これにより、集塵ボックス３３内に堆積していた塵埃は全て、塵埃回収ユニット２０内に移動し回収される。
【００４８】
そして、塵埃回収ユニット２０内の塵埃を廃棄するために塵埃回収ユニット２０を、室内機１７から引きだそうとすると、塵埃回収ユニット２０を、室内機１７に装着するときの動作と逆の動作、すなわち、図示しない付勢手段の付勢力により、塵埃回収ユニット２０の塵埃取入れ口４９ａがシャッター部材５０で徐々に閉められ（図８（ｂ）→図８（ａ））、塵埃回収ユニット２０を室内機１７から引き出し終わったときには、図８（ａ）に示すように、塵埃回収ユニット２０の塵埃取入れ口４９ａが完全に閉じられているので、塵埃回収ユニット２０を、塵埃廃棄場所まで持ち運ぶ際に、中の塵埃が洩れ出ることは無い。
【００４９】
そして、塵埃回収ユニット２０内の塵埃を廃棄するときは、指で、突起５０ｂを付勢手段の付勢力に抗して、シャッター部材５０が開く方向に移動させれば、塵埃回収ユニット２０内の塵埃を簡単に廃棄することが出来る。
【００５０】
なお、上記実施例では、集塵ボックス３３内の塵埃を塵埃回収ユニット２０内に回収する時に、つまみ４０を操作するように説明したが、時々つまみ４０を往復操作して、集塵ボックス３３内の塵埃を、塵埃回収ユニット２０に送るようにすると、塵埃を塵埃回収ユニット２０内で圧縮した状態で溜めておくことも出来る。こうすれば、塵埃の廃棄頻度が減り、メンテナンスが容易になるものである。
【００５１】
以上のように、本実施例によれば、回転清掃体３４によってエアフイルター２１に付着した塵埃３５が確実に掻き取られると共に、その塵埃３５を塵埃回収ユニット２０内に回収して、簡単に廃棄できるので、塵埃３５の廃棄、メンテナンスが容易である。
【００５２】
又、従来の塵埃を吸引し、外部にそれを排出するための吸引装置などが不要なので、小型、低騒音で、しかも衛生的である。
【００５３】
また、塵埃回収ユニット２０を、室内機１７に着脱自在にしているので、高所に設置された空気調和機から塵埃回収ユニット２０を容易に取り外すことができ、塵埃回収ユニット２０内の塵埃の廃棄がきわめて容易である。
【００５４】
又、回転清掃体３４は、集塵ボックス３３内に着脱自在に収納されると共に、前記集塵ボックス３３を空気調和機の室内機１７に対し着脱自在なので、高所に設置された室内機１７から集塵ボックス３３を取り外すことにより、回転清掃体３３にこびりついた塵埃３５の除去、清掃も容易になる。
【００５５】
又、塵埃回収ユニット２０にシャッター部材５０を設けたことにより、塵埃回収ユニット２０を持ち運ぶ際に、塵埃３５が周囲に飛び散ることが無く、衛生的である。
【００５６】
さらに、回転清掃体３４に付着した塵埃を除去する塵埃除去手段３７を設けたことにより、回転清掃体３４を常にきれいに保つことができ、塵埃掻き取り性能が低下することが無く、また、回転清掃体３４で掻き取られた塵埃３５が、エアフイルター２１に再付着することも無く、塵埃除去性能が向上する。
【００５７】
又、回転清掃体３４を、棒状の軸体５１と、軸体５１に螺旋状に巻き付けられると共に基布５２ａと、基布５２ａに植毛されたブラシ部５２ｂからなる起毛布５２とで構成したことにより、回転清掃体３４の製造が容易になり、空気調和機用清掃装置１８を安価に形成することができる。
【００５８】
又、軸体５１に巻きつけられた起毛布５２の全幅寸法（有効清掃幅寸法）を５００ｍｍ以上としたことにより、空気調和機の室内機１７に内設された幅の広いエアフイルター２１の全幅に渡って、ブラシ部５２ｂが当たるので、回転清掃体３４を超低速（例えば、１０ＲＰＭ程度）で回転させても十分均一にエアフイルター２１を清掃することができ、しかも回転清掃体３４の回転時の騒音を低減することができる。
【００５９】
また、上記実施例における空気調和機用清掃装置を空気調和機に搭載することにより、空気調和機のエアフイルターを常にきれいに保つことが出来、空調性能に優れ、しかもメンテナンスの容易な空気調和機を提供することが出来る。
【産業上の利用可能性】
【００６０】
以上のように、本発明にかかる空気調和機用清掃装置は、従来の塵埃掻き取り性能を維持しながら、小型、低騒音で、しかも衛生的で、また、塵埃の廃棄、メンテナンスが容易なもので、家庭用、業務用の各種空気調和機は勿論、空気清浄機、換気装置などエアフィルターを有する各種機器に適用できるものである。
【図面の簡単な説明】
【００６１】
【図１】本発明の第１の実施例における空気調和機用清掃装置を搭載した空気調和機の室内機の斜視図
【図２】同室内機の概略断面図
【図３】同空気調和機用清掃装置の斜視図
【図４】同空気調和機用清掃装置の塵埃除去ユニットの分解図
【図５】同空気調和機用清掃装置の塵埃移送手段の構成を示す展開図
【図６】（ａ）同空気調和機用清掃装置の回転清掃体及び室内機の一部の斜視図、（ｂ）同回転清掃体の製法を示す図
【図７】（ａ）塵埃回収ユニットの分解斜視図、（ｂ）同塵埃回収ユニットの完成品の斜視図
【図８】（ａ）〜（ｃ）塵埃除去ユニットの一部と塵埃回収ユニットの上から見た断面図
【図９】塵埃除去ユニットの一部と塵埃回収ユニットの上から見た断面図
【図１０】従来の空気調和機用清掃装置を搭載した空気調和機の断面図
【符号の説明】
【００６２】
１７    室内機（空気調和機）
１８    空気調和機用清掃装置
１９    塵埃除去ユニット
２０    塵埃回収ユニット
２１    エアフィルター
２３    熱交換器
３３    集塵ボックス
３３ａ  塵埃排出口
３４    回転清掃体
３５    塵埃
３６    塵埃移送手段
３７    塵埃除去手段
４０    つまみ
４１    移送板
４９ａ  塵埃取入れ口
【図１】
2008128625.tif 000003
【図２】
2008128625.tif 000004
【図３】
2008128625.tif 000005
【図４】
2008128625.tif 000006
【図５】
2008128625.tif 000007
【図６】
2008128625.tif 000008
【図７】
2008128625.tif 000009
【図８】
2008128625.tif 000010
【図９】
2008128625.tif 000011
【図１０】
2008128625.tif 000012